(57)【要約】この発明による冷蔵庫は、第１の貯蔵室、第１の貯蔵室と仕切壁により区画され第１の貯蔵室の上に設けられた第２の貯蔵室、第１の貯蔵室を開閉する第１の扉及び第２の貯蔵室を開閉する第２の扉を備え、該第１の扉の上面に設けられた凹部内に照明装置及び受電部を備え、該凹部の天井を形成し、照明装置及び受電部の上に設けられ、複数の切り起こしが設けられた遮蔽性のカバー部材を備える。さらに、この発明による冷蔵庫は、仕切壁が有する給電部取り付け空間に設けられ、受電部に無線で電力を供給する給電部を備える。照明装置は複数の切り起こしにより真上よりも第２貯蔵室側に光を照射し、第１の貯蔵室が閉鎖され、第２の貯蔵室が開放されているとき、照明装置が点灯し、前記第２の貯蔵室内を照らすように構成されている。
2020194659.tif 000002
【特許請求の範囲】
【請求項１】
食品を冷蔵する第１の貯蔵室と、前記第１の貯蔵室と仕切壁により区画され前記第１の貯蔵室の上に設けられ食品を冷蔵する第２の貯蔵室とを有する冷蔵庫本体と、
前記冷蔵庫本体に設けられ、前記第１の貯蔵室を開放又は閉鎖する第１の扉と、
前記冷蔵庫本体に設けられ、前記第２の貯蔵室を開放又は閉鎖する第２の扉と、
前記冷蔵庫本体の背面側に位置する制御基板と、
前記冷蔵庫本体又は前記仕切壁の内側に設けられ、前記第１の貯蔵室の開放又は閉鎖を検知する扉開閉センサと、
前記第１の扉の上面に形成された凹部内に設けられる照明装置と、
前記凹部内に設けられ、配線により前記照明装置と接続する受電部と、
複数の切り起こしが設けられ、前記凹部の天井を形成し、前記照明装置及び前記受電部の上に設けられる遮蔽性のカバー部材と、
前記仕切壁が有する給電部取り付け空間に設けられ、前記受電部に無線で電力を供給する給電部と、を備え、
前記照明装置は前記遮蔽性のカバー部材に設けられた前記複数の切り起こしにより真上よりも前記第２貯蔵室側に光を照射し、
前記第１の貯蔵室が前記第１の扉により閉鎖され、前記第２の貯蔵室が前記第２の扉により開放されているとき、前記制御基板が前記給電部に電力を供給し、前記給電部が前記受電部に無線で電力を供給することにより前記照明装置が点灯し、前記第２の貯蔵室内を照らすことを特徴とする冷蔵庫。
【請求項２】
前記給電部と前記扉開閉センサは前記給電部取り付け構造内に設けられる、請求項１に記載の冷蔵庫。
【請求項３】
前記庫外灯と前記受電部に接続する充電部を備え、前記第１の貯蔵室が前記第１の扉により閉鎖され、前記第２の貯蔵室が前記第２の扉により閉鎖されているとき、前記充電部は前記給電部からの電力供給により蓄電し、前記第１の貯蔵室が第１の扉により開放された後、前記第２の貯蔵室が第２の扉により開放されるとき、蓄電された前記充電部からの給電により一定時間前記照明装置が点灯し続ける、請求項１〜２に記載の冷蔵庫。
【請求項４】
前記凹部の側壁と前記第１の扉の外壁との間に断熱材を設ける、請求項１〜３に記載の冷蔵庫。
【請求項５】
透光性を有し、前記第２の貯蔵室内に着脱可能に設けられ、前記第２の貯蔵室内を上下に仕切る一以上の棚を備え、
前記一以上の棚が、前記一以上の棚の手前側に幅方向に亘って設けられ、前記照明装置から照射される光の少なくとも一部を前記貯蔵室の奥側に反射させる反射板を備えたことを特徴とする、請求項１〜４のいずれか一項に記載の冷蔵庫。
【請求項６】
透光性を有し、前記第２の貯蔵室内に着脱可能に設けられ、前記第２の貯蔵室内を上下に仕切る一以上の棚を備えたことを特徴とする、請求項１〜４のいずれか一項に記載の冷蔵庫。
【請求項７】
食品を冷蔵する第１の貯蔵室と、前記第１の貯蔵室と仕切壁により区画され前記第１の貯蔵室の上に設けられ食品を冷蔵する第２の貯蔵室とを有する冷蔵庫本体と、
前記冷蔵庫本体に設けられ、前記第１の貯蔵室を開放又は閉鎖する第１の扉と、
前記冷蔵庫本体に設けられ、前記第２の貯蔵室を開放又は閉鎖する第２の扉と、
前記冷蔵庫本体の背面側に位置する制御基板と、
前記第２の扉の下面に形成された凹部内に設けられる照明装置と、
前記凹部内に設けられ、配線により前記照明装置と接続する受電部と、
複数の切り起こしが設けられ、前記照明装置及び前記受電部の下を覆うように前記第２の扉に設けられる遮蔽性のカバー部材と、
前記仕切壁が有する給電部取り付け空間に設けられ、前記受電部に無線で電力を供給する給電部と、を備え、
前記照明装置は前記遮蔽性のカバー部材に設けられた前記複数の切り起こしにより真下よりも前記第１貯蔵室側に光を照射し、
前記第１の貯蔵室が前記第１の扉により開放され、前記第２の貯蔵室が前記第２の扉により閉鎖されているとき、前記制御基板が前記給電部に電力を供給し、前記給電部が前記受電部に無線で電力を供給することにより前記照明装置が点灯し、前記第１の貯蔵室内を照らすことを特徴とする冷蔵庫。
【発明の詳細な説明】
【技術分野】
【０００１】
本発明は、照明装置を有する冷蔵庫に関する。
【背景技術】
【０００２】
従来の冷蔵庫の照明装置は、冷蔵室の天井部に設けられる。従来の冷蔵庫は、冷蔵室における前記照明装置の直下領域は明るくなるものの、冷蔵室の棚に貯蔵物が収納されている場合、該貯蔵物により前記照明装置からの光が遮られ、棚の下にある貯蔵物にはあまり光が当たらず、載置物の表示などが見えにくかった。このような状況で使用者が冷蔵室内の載置物の表示を確認しようとすると、使用者は表示を確認するために載置物を冷蔵室から取り出して室内照明に当てなければならない。このような点からユーザが載置物を選びながら取り出す際の使い勝手の向上が望まれていた。【０００３】
このような問題を解決するために、冷蔵庫の外箱前面に取り付けられ、冷蔵庫の扉より前方に突出するコントロールボックス内に照明灯を設け、コントロールボックスの上下面に複数の切り起こしによって開口した複数の透孔を設け、上部室の扉が開いたとき照明灯からの光が前下方より上部室方向に照射される冷蔵庫が提案されている。（例えば、特許文献１参照。）
【先行技術文献】
【特許文献】
【０００４】
【特許文献１】実開昭６２−８０１９６号公報
【発明の概要】
【発明が解決しようとする課題】
【０００５】
しかし、上記の従来の方法では、冷蔵室本体に設けた冷蔵庫の扉より前方に突出するコントロールボックス内に照明灯を設けるものの、電源と配線接続される照明灯を、冷蔵庫の回転式の扉や引き出し式の扉に設置することが困難であった。【０００６】
本発明は、上述のような課題を解決するためになされたもので、冷蔵庫本体に備えられた引き出し式の扉に照明装置と受電部を設け、冷蔵庫本体に備えられた給電部から、該引き出し式の扉に設けられた受電部へ無線で電力を供給し、照明装置が冷蔵室内の照明を行う。このような構造とすることで、冷蔵庫本体に備えられた回転式の扉や引き出し式の扉に設置することができる照明装置を備えた冷蔵庫を提供するものである。
【課題を解決するための手段】
【０００７】
上述の目的を達成するために、この発明による冷蔵庫は、第１の貯蔵室と、第１の貯蔵室と仕切壁により区画され第１の貯蔵室の上に設けられた第２の貯蔵室と、第１の貯蔵室を開閉する第１の扉と、第２の貯蔵室を開閉する第２の扉と、を備え、該第１の扉の上面に設けられた凹部内に照明装置と受電部を備え、照明装置及び受電部の上に設けられ該凹部の天井を形成し、複数の切り起こしが設けられた遮蔽性のカバー部材と、を備える。さらに、この発明による冷蔵庫は、仕切壁が有する給電部取り付け空間内に、前記受電部に無線で電力を供給する給電部を備える。照明装置は遮蔽性のカバー部材に設けられた複数の切り起こしにより真上よりも第２貯蔵室側に光を照射し、第１の貯蔵室が閉鎖され、第２の貯蔵室が開放されているとき、給電部が受電部に無線で電力を供給することで照明装置が点灯し、前記第２の貯蔵室内を照らすように構成されている。上記の構造により、照明装置を冷蔵庫本体に設けられた回転式の扉や引き出し式の扉に設けることができる。
【発明の効果】
【０００８】
この発明の冷蔵庫では、冷蔵庫本体に備えられた引き出し式の扉に照明装置と受電部を設け、冷蔵庫本体に備えられた給電部から、該引き出し式の扉に設けられた受電部へ無線で電力を供給し、照明装置が冷蔵室内の照明を行う。このような構造とすることで、照明装置を、冷蔵庫本体に備えられた回転式の扉や引き出し式の扉に設置することができる。
【図面の簡単な説明】
【０００９】
【図１】本発明の実施の形態１における、冷蔵庫１の正面図を示す。
【図２】本発明の実施の形態１における、冷蔵庫１の横断面の模式図を示す。
【図３】本発明の実施の形態１における、給電部取り付け空間３３に設けられる非接触給電部３１及び切替室扉１４用の扉開閉センサ３６の模式図を示す。
【図４】本発明の実施の形態１における、庫外灯取り付け空間２８及び給電部取り付け空間３３の拡大断面図を示す。
【図５】本発明の実施の形態１における、庫外灯取り付け空間２８及び給電部取り付け空間３３の拡大断面図を示す。
【図６】本発明の実施の形態１における、庫外灯取り付け空間２８及び給電部取り付け空間３３の拡大断面図を示す。
【図７】本発明の実施の形態２における、冷蔵庫２００の横断面の模式図を示す。
【図８】本発明の実施の形態３における、冷蔵庫３００の正面図を示す。
【図９】本発明の実施の形態３における、給電部取り付け空間３３に設けられる非接触給電部３１及び扉開閉センサ４３の模式図を示す。
【図１０】本発明の実施の形態１及び２における、庫外灯取り付け空間２８´及び給電部取り付け空間３３´の拡大断面図を示す。
【発明を実施するための形態】
【００１０】
以下、この発明を実施するための形態について、図面を参照して説明する。ここで、参照符号について、同一の符号を付したものは、同一であり、このことは、明細書の全文において共通することである。そして、明細書全文に表されている構成要素の形態は、あくまでも例示であって、明細書に記載された形態に限定されるものではない。特に構成要素の形状は、実施の形態における形状のみに限定されるものではない。そして、図面は実際の構造を簡略化して表す場合がある。さらに、図面では各構成物の大きさ又は、及び、構成物同士の位置関係が実際のものとは異なる場合がある。
【００１１】
実施の形態１．
＜冷蔵庫の全体構造＞
図１は、この発明の実施の形態１に係る冷蔵庫１の冷蔵室扉１２ａ及び１２ｂを開放した状態の正面図である。図２は、図１の冷蔵庫のＡ−Ａ´線における横断面を矢印の向きから見た模式図である。
【００１２】
図１及び図２に示すように、冷蔵庫１は、冷蔵庫本体である箱体２を備える。箱体２の前面（正面）は開放されて内部に貯蔵空間が形成されている。箱体２は、鋼板製の外箱３と、樹脂製の内箱４と、この外箱３及び内箱４の間に発泡充填された断熱材５と、から構成される。貯蔵空間は複数の断熱性の仕切壁により複数の貯蔵室、すなわち、第２の貯蔵室である冷蔵室６、製氷室７、第１の貯蔵室である切替室８、冷凍室９および野菜室１０に分離されている。図１では、冷蔵室６が最上段に配置され、その下に製氷室７と切替室８とが左右に並んで配置され、その下に冷凍室９が配置され、最下段に野菜室１０が配置されている。但し、このような配置に限定されるものではない。冷蔵室６と製氷室７及び切替室８とは、断熱性の仕切壁１１により区画され、冷蔵室６が製氷室７及び切替室８の上にある。冷蔵室６の前面開口は、回転扉である冷蔵室扉１２ａ及び回転扉であり第２の扉である冷蔵室扉１２ｂにより開放又は閉鎖され、製氷室７、切替室８、冷凍室９および野菜室１０の前面開口はそれぞれ製氷室扉１３、第１の扉である切替室扉１４、冷凍室扉１５および野菜室扉１６により開放又は閉鎖される。冷蔵庫１は、冷蔵室扉１２ａ又は／及び１２ｂの表面側に操作パネル１７を備える。操作パネル１７は、使用者の操作内容に応じて冷蔵庫１の設定を行うユーザインターフェースである。
本実施の形態１では、本発明に係る照明装置である庫外灯２１を切替室扉１４に適用した場合の例を説明する。
【００１３】
次に、冷蔵庫１に搭載された冷凍サイクルの構成と、冷蔵庫１内の空気の流れを説明する。
【００１４】
冷蔵庫１の背面最下部には圧縮機（図示せず）が配置されている。圧縮機で圧縮された冷媒は、凝縮器（図示せず）において凝縮される。凝縮された冷媒は、減圧器としての毛細管（図示せず）において減圧される。減圧された冷媒は冷却器（図示せず）において蒸発し、この蒸発時の吸熱作用により冷却器の周辺が冷却される。圧縮機、凝縮器（図示せず）、減圧器としての毛細管、及び冷却器により、冷凍サイクルが構成されている。
【００１５】
冷蔵室６の背面側には、冷気を冷蔵室６内へ導く例えば発泡ポリスチレン製の冷気送風ダクト（図示せず）が設置されている。冷気送風ダクトの手前側には、冷気送風ダクトを覆うように合成樹脂製の制御基板１８が設置されている。この制御基板１８は、鋼板及び断熱材により覆われ、冷蔵庫１の外箱の背面に該鋼板がねじ止めされ固定されることにより、制御基板１８が外箱に取り付けられる。制御基板１８には商用電源が供給される。
【００１６】
冷気送風ダクトに設けられたダンパ（図示せず）、圧縮機、及び送風機は、制御回路等の制御装置（図示せず）によって制御される。制御装置は、サーミスタ等の温度検出装置（図示せず）により冷蔵室６、製氷室７、切替室８、冷凍室９および野菜室１０の温度を検出し、貯蔵空間が目標とする設定温度となるように、冷凍サイクルの冷却能力、冷却運転の開始・停止、ダンパの開閉、送風機の運転状態を制御する。
【００１７】
＜冷蔵室６内の構成＞
本実施形態に係る冷蔵庫１は、図１及び図２に示すように、冷蔵室６の前面開口の両側に設けられたヒンジ部（図示せず）を介して横方向に回動して開閉し、冷蔵室６の前面開口を開放又は閉鎖する回動式の冷蔵室扉１２ａ及び１２ｂと、製氷室７に配置される製氷容器１９の前面に設けられ、製氷室７の前面開口を開放又は閉鎖し、製氷容器１９の上面を開放又は閉鎖させる引き出し式の製氷室扉１３と、切替室８に配置される冷凍容器２０の前面に設けられ、切替室８の前面開口を開放又は閉鎖し、冷凍容器２０の上面を開放又は閉鎖させる引き出し式の切替室扉１４と、切替室扉１４の上部の庫外灯取り付け空間２８に設けられ、冷蔵室６の内部を照明する照明装置である庫外灯２１と、を備える。
【００１８】
切替室８は、切替室８の左右側面に設けたレールとそれに組み合うローラによって前後へ引き出し可能に支持された冷凍容器２０が設置され、切替室扉１４を閉じたとき、切替室８の前面開口は切替室扉１４により閉鎖される。
【００１９】
冷蔵室６内の下部には引出ケース３５が設けられ、この引出ケース３５の上方には、複数の透明棚２２Ａ、２２Ｂ、２２Ｃ及び２２Ｄが着脱自在に設けられている。複数の透明棚２２Ａ、２２Ｂ、２２Ｃ及び２２Ｄは、光が透過する透明なガラスや合成樹脂などの材料で構成されている。この複数の透明棚２２Ａ、２２Ｂ、２２Ｃ及び２２Ｄによって冷蔵室６の引出ケース３５の上方空間が上下に仕切られており、使用者は、複数の透明棚２２Ａ、２２Ｂ、２２Ｃ及び２２Ｄの上に載置物を載置することができる。
【００２０】
複数の透明棚２２Ａ、２２Ｂ、２２Ｃ及び２２Ｄのうち、一番下に設置される透明棚２２Ｄは、引出ケース３５の上に設置されており、引出ケース３５の上方空間の底面を構成している。なお、本実施の形態１では冷蔵室６内に引出ケース３５を設ける構造を示したが、引出ケース３５は設けなくてもよい。また、引出ケース３５は左右に複数設置してもよい。また、本実施の形態１では４枚の透明棚２２Ａ、２２Ｂ、２２Ｃ及び２２Ｄを設けた例を示すが、透明棚２２の数は１枚以上であればよい。以降、簡略化のため特に区別しない場合複数の透明棚を２２と称する。
【００２１】
冷蔵室６の天井に天井灯２３が設けられ、冷蔵室６扉を開いたとき天井灯２３は制御基板１８からの電力供給により点灯し、冷蔵室６内を上から照射する。
【００２２】
＜照明装置の構成＞
図２及び図４を参照して、本発明の冷蔵庫が備える照明装置である庫外灯２１について説明する。
【００２３】
本発明の冷蔵庫が備える照明装置である庫外灯２１は、実装基板と、白色光を発光するＬＥＤ（発光ダイオード）素子を備える。実装基板は長方形の形状を有し、該実装基板の短手方向の中心部に、長手方向に沿って、光源としての複数のＬＥＤ素子が所定間隔で配置されている。なお、光源としてＬＥＤ素子を用いる例を説明するが、光源は発光ダイオードに限定されるものではない。実装基板は、通電用のリード線２４により本発明の冷蔵庫が備える受電部である非接触受電部２５と接続しており、実装基板への通電は、非接触受電部２５によって行われる。
【００２４】
庫外灯２１、リード線２４及び非接触受電部２５は、図４に示すように、切替室扉１４の上面の一部を切替室扉１４の内側へ凹むように陥入させ、形成された凹部である庫外灯取り付け構造（照明装置取り付け構造）内に設置される。図４に示すように、壁部４７が凹部である庫外灯取り付け構造の底部を構成し、壁部４６が壁部４７の周縁付近から切替室扉１４の上面に延び、凹部である庫外灯取り付け構造の側壁部を構成する。壁部４６及び壁部４７として外箱３を構成する鋼板又は内箱４を構成する樹脂が使用可能であるが、これに限られない。同様に、凹部を取り囲む切替室扉１４の外壁４５は、外箱３を構成する鋼板又は内箱４を構成する樹脂が使用可能であるが、これに限られない。図４に示されるように、庫外灯取り付け構造の壁部４６及び壁部４７と、切替室扉１４の外壁４５とで囲まれた内側に断熱材３０が充填される。このように切替室扉１４に断熱材３０を設けることで、図６の凹部の周辺が鋼板又は樹脂のみで形成されている場合と比べて、庫外灯２１が照明する際に発する熱が冷蔵室６及び切替室８に伝わるのが抑制される。
【００２５】
実装基板は、切替室扉１４を閉鎖したときに実装基板の長手方向と冷蔵室６の幅方向とが一致する向きで、実装基板に対してＬＥＤ素子が上になるように取り付け構造内に設置される。庫外灯２１及び非接触受電部２５の上を覆うように、複数の切り起こし２６によりスリットが形成された遮蔽性のカバー部材２７を設ける。遮蔽性のカバー部材２７は切替室扉１４の上面の一部を構成し、スリットは真上から見て庫外灯に重なるよう設けられる。凹状の庫外灯取り付け構造と遮蔽性のカバー部材２７により、照明装置取り付け空間である、庫外灯取り付け空間２８が形成される。遮蔽性のカバー部材２７の底面は庫外灯取り付け空間２８の天井面に相当する。
【００２６】
庫外灯取り付け空間２８は、庫外灯２１が冷蔵室６の左右にわたり照らすように、正面視して切替室扉１４の中央から左側に設けられる。
【００２７】
冷蔵室扉１２ｂにより冷蔵室６が閉鎖され、切替室扉１４により切替室８が閉鎖されたとき、冷蔵室扉１２ｂは庫外灯取り付け空間２８を覆う。
【００２８】
図２及び図４において、スリットを通過した庫外灯２１からの光を２９で表している。庫外灯２１からの光がスリットを通過するときに複数の切り起こし２６により光の一部が遮られ、庫外灯２１の真上よりも冷蔵室６の奥行き方向奥側の向きに光２９が冷蔵室６内に照射される。
【００２９】
なお、遮蔽性のカバー部材２７の材料として、外箱３を構成する鋼板又は内箱を構成する樹脂が使用可能であるが、これに限られない。
【００３０】
さらに、庫外灯２１取り付け構造の側面４６と切替室扉１４の側面の外壁４５との内側に断熱材３０を設けることで、庫外灯２１点灯時に発生する熱が庫内に伝わるのを抑制する構造としている。
【００３１】
複数の切り起こし２６は遮蔽性のカバー部材２７に対して冷蔵室６側に傾いており、スリットを通過した庫外灯２１からの光２９が、庫外灯２１の真上よりも冷蔵室６の奥行き方向奥側を指向するように構成される。さらに好ましくは、複数の切り起こし２６の遮蔽性のカバー部材２７に対する傾きは、スリットを通過した庫外灯２１からの光２９が、冷蔵室６に設けられた複数の透明棚２２のうち一番上段の棚２０Ａから一番下の棚２０Ｄを照射するように構成される。複数の切り起こし２６をこのような構造とすることで、スリットを通過した庫外灯２１からの光２９が冷蔵室６の棚を中心に冷蔵室６内を照射し、使用者側への光の照射が抑制される。
【００３２】
図４に示されるように、冷蔵室６と切替室８とを区画する断熱性の仕切壁１１は、正面視して、前面に冷蔵庫１の奥行き方向奥側に凹んだ凹部を有する。該凹部内に、本発明の冷蔵庫が備える給電部である非接触給電部３１が設けられる。側壁板３２により該凹部は閉じられ、給電部取り付け空間３３が形成される。側壁板３２は仕切壁１１の側壁の一部を構成する。給電部取り付け空間３３の凹部側面４８及び凹部底面４９は、鋼板又はプラスチックにより構成され、仕切壁１１の外壁５０として外箱３を構成する鋼板又は内箱４を構成する樹脂が使用されるが、これに限られない。給電部取り付け空間３３の凹部側面４８及び凹部底面４９と、仕切壁１１の外壁５０とで囲まれた内側に断熱材３０が充填される。
【００３３】
給電部取り付け空間３３は、切替室扉１４が閉じられた状態で冷蔵庫１を正面視して庫外灯取り付け空間２８と少なくとも一部が重なる位置に設けられる。また、切替室扉１４が閉じられた状態で冷蔵庫１を正面視して非接触給電部３１と非接触受電部２５の少なくとも一部が重なるよう、非接触給電部３１と非接触受電部２５を給電部取り付け空間３３と庫外灯取り付け空間２８内にそれぞれ設ける。
【００３４】
このような構造とすることで、冷蔵庫１の切替室扉１４が閉じられると、非接触給電部３１と非接触受電部２５は、庫外灯取り付け空間２８の冷蔵庫側の壁部４６及び側壁板３２を挟んで隣接して設置される。このような構造により、冷凍庫の切替室扉１４が閉じられたときに、非接触給電部３１と非接触受電部２５との距離を近接させることができ、非接触給電部３１は非接触受電部２５に、無線による給電を行うことができる。
【００３５】
非接触給電部３１は、冷蔵庫本体に設けた制御基板１８と配線３４により接続されている。制御基板１８は後述する扉開閉センサ３６と配線により接続されており、扉開閉センサからの信号に基づき、非接触給電部３１に電力を供給する。
【００３６】
なお、側壁板３２の材料として、外箱３を構成する鋼板又は内箱４を構成する樹脂が使用可能であるが、これに限られない。
【００３７】
扉開閉センサはリードスイッチ（図示せず）により構成され、冷蔵庫１の箱体２や仕切壁１１の内側に設けられ、開閉又は閉鎖を検知したい扉が開放又は閉鎖されたときに、扉の内部に設けられたマグネットにより該リードスイッチが動作し、制御基板１８に扉の開放又は閉鎖に対応する信号を送信する。
【００３８】
なお、図３に示すように、非接触給電部３１と切替室扉１４用の扉開閉センサ３６とを給電部取り付け空間３３に設置することで、非接触給電部３１と制御基板１８とを接続する配線３４と、切替室扉１４用の扉開閉センサ３６と制御基板１８とを接続する配線３７とを束ねて配線することができ、外箱３と内箱４の間に配線を設ける作業を簡略化することができる。
【００３９】
＜動作＞
以上のように構成された本実施の形態１の冷蔵庫１について、以下、動作を説明する。
冷蔵庫には、冷蔵室扉１２ｂの開閉状態を検出する冷蔵室扉１２ｂ用の扉開閉センサ５１が設けられている。
【００４０】
冷蔵室扉１２ｂが閉じており切替室扉１４が閉じている場合は、冷蔵室扉１２ｂ用の扉開閉センサ５１から制御基板１８へ冷蔵室扉１２ｂが閉じていることを示す信号が送信される。また、切替室扉１４用の扉開閉センサ３６から制御基板１８へ切替室扉１４が閉じていることを示す信号が送信される。このとき制御基板１８は非接触給電部３１に電力を供給せず、非接触給電部３１は非接触受電部２５に電力を供給しないため、庫外灯２１は消灯している。
【００４１】
冷蔵室扉１２ｂが開いており切替室扉１４が閉じている場合は、冷蔵室扉１２ｂ用の扉開閉センサ５１から制御基板１８へ冷蔵室扉１２ｂが開いていることを示す信号が送信される。また、切替室扉１４用の扉開閉センサ３６から制御基板１８へ切替室扉１４が閉じていることを示す信号が送信される。このとき制御基板１８は非接触給電部３１に電力を供給し、非接触給電部３１は非接触受電部２５に電力を供給し、庫外灯２１は点灯する。
【００４２】
切替室扉１４が開くと、切替室扉１４が閉じている場合と比べて非接触給電部３１と非接触受電部２５との距離が増大するため、非接触給電部３１から非接触受電部２５への供給される電力が低下し、庫外灯２１は消灯する。
【００４３】
以上のプロセスにより、冷蔵室扉１２ｂが開いており切替室扉１４が閉じている場合に庫外灯２１が点灯する。庫外灯２１のＬＥＤ素子から発せられた白色光は、遮蔽性のカバー部材２７に設けられるスリットを透過し、冷蔵室６内を照射する。
【００４４】
なお、図５のように、庫外灯取り付け空間２８に庫外灯２１及び非接触受電部２５に加えて庫外灯スイッチ５３ａ、５３ｂ及びバッテリー５２を設け、切替室扉１４が閉じており冷蔵室扉１２ｂが閉じているときに非接触給電部３１がバッテリー５２に充電を行う構造としてもよい。このとき、庫外灯スイッチ５３ａ及び５３ｂは制御基板１８からの信号によりＯＦＦとなる。冷蔵室扉１２ｂが開かれたのちに切替室扉１４が開かれると、冷蔵室扉１２ｂ用の扉開閉センサ５１からの開放に対応する信号により制御基板１８が庫外灯スイッチ５３をＯＮとするので、バッテリー５２からの電力供給により庫外灯２１を一定時間点灯させることができる。このような構造により、冷蔵室扉１２ｂが開かれたのち、切替室扉１４が開かれると庫外灯２１が冷蔵室６内を一定時間照射することができる。なお、冷蔵室扉１２ｂが閉じた状態で切替室扉１４が開かれたときは庫外灯２１が点灯しないよう、冷蔵室扉１２ｂ用の扉開閉センサ５１からの閉鎖に対応する信号により制御基板１８が庫外灯スイッチ５３ａ及び５３ｂをＯＦＦとし、バッテリー５２から庫外灯２１への給電を遮断する。
【００４５】
なお、冷蔵室扉１２ａ又は／及び１２ｂに設けた操作パネル１７により、庫外灯２１の点灯を実施するかしないかをユーザの操作、もしくは初期の設定により変更が可能である。操作パネル１７から庫外灯２１の点灯を実施しない設定が行われると、該設定は制御基板１８に送信される。制御基板１８は、該設定に基づき、冷蔵室扉１２ｂが開いており切替室扉１４が閉じている場合でも、非接触給電部３１に電力を供給しない。
【００４６】
＜効果＞
スリットを通過した庫外灯２１からの光は、真上よりも冷蔵庫１奥行き方向奥側に傾いた方向に冷蔵室６内を照射する。したがって、冷蔵室６内は、冷蔵室６の天井に設けられる天井灯２３からの光と、庫外灯２１による下方からの光とによって照らされることとなる。このため、冷蔵室６内に透明棚２２が複数設けられる場合に、上方の透明棚２２の上に多くの載置物が載置され、その載置物によって天井灯２３からの光が遮られても、該上方の透明棚２２よりも下段の透明棚２２に載置された載置物を、庫外灯２１の光によって照らすことができる。また、例えば下側の透明棚２２の上に多くの載置物が載置され、その載置物によって天井灯２３からの光が遮られても、その透明棚２２の上側は庫外灯２１からの光によって照らされる。このように、本実施の形態１によれば、冷蔵室６の天井に天井灯２３を設けるのみの構造と比べて、冷蔵室６内をより明るくし、載置物の視認性を向上させることができる。
【００４７】
また、庫外灯２１からの光は、真上よりも冷蔵庫１奥行き方向奥側に傾いた方向に冷蔵室６内を照射するため、ユーザへの庫外灯２１の光の照射を抑えることができる。また、ユーザが切替室扉１４を開けたときは、庫外灯２１は消灯するためユーザへの庫外灯２１からの光の照射を抑えることができる。
【００４８】
従来の冷蔵庫に設置される照明装置は、冷蔵庫本体の背面壁に形成した窪みに取り付けた制御基板と配線で接続し、該配線は制御基板から照明装置まで外郭と内箱との間に配線される。本発明は、照明装置である庫外灯２１と非接触給電部３１とを制御基板１８とは独立して切替室扉１４内に設置し、箱体２の仕切壁１１に設けられた非接触給電部３１から非接触受電部２５へ無線で給電を行う。このため、照明装置と制御基板１８とを配線で接続する必要が無い。このような構造により、本発明の照明装置は配線作業の簡略化が可能であり、冷蔵庫１の箱体２に対してスライドして開閉する引き出し式扉や、回動部を介して本体と接続する回転式の扉に設置が可能である。
【００４９】
実施の形態２． 
実施の形態２に係る冷蔵庫１００は、実施の形態１に係る冷蔵庫１と同様に、貯蔵空間が複数の断熱性の仕切壁により複数の貯蔵室、すなわち、冷蔵室６、製氷室７、切替室８、冷凍室９および野菜室１０に分離されている。図６は、実施の形態２に係る冷蔵庫１００を、実施の形態１の冷蔵庫１と同じ位置から見た冷蔵庫１００の横断面の模式図である。
本実施の形態２は、冷蔵室６内の空間を上下に仕切る棚に特徴を有する。本実施の形態では、実施の形態１との相違点を中心に説明する。
【００５０】
冷蔵室６内には、実施の形態１と同様に引出ケース３５が設けられている。また、本実施の形態では、実施の形態１で示した複数の透明棚２２に代えて、複数の冷蔵室棚３８Ａ、３８Ｂ、３８Ｃ及び３８Ｄ（以降、まとめて記載するときは冷蔵室棚３８と呼ぶ）が冷蔵室６内に着脱自在に設けられている。
【００５１】
図６に示すように、冷蔵室棚３８を冷蔵室６内に設置したとき、冷蔵室棚３８の冷蔵庫１００奥行き方向手前側に、冷蔵室棚３８の幅方向に亘って設けられ、庫外灯２１から照射された光の少なくとも一部を冷蔵室６の冷蔵庫１００奥行き方向奥側に反射させる反射部３９を冷蔵室棚３８に設けた。該反射部３９は庫内灯２１からの光を反射させ、反射部３９より下に設置された冷蔵室６の冷蔵庫１００奥行き方向奥側を照射させる。
【００５２】
実施の形態２では、冷蔵室棚３８の冷蔵庫１００奥行き方向手前側に、冷蔵室棚３８の幅方向に亘って設けられ、前記第一照明装置から照射される光の少なくとも一部を冷蔵室６の冷蔵庫１００奥行き方向奥側に反射させる反射部３９を設けた。このため、切替室扉１４が閉じている状態でユーザが冷蔵室扉１２ｂを開くと、切替室扉１４内の庫外灯取り付け空間２８に設置された庫外灯２１が発光し、遮蔽性のカバー部材２７のスリットを通過した庫外灯２１からの光の一部が反射部３９により反射され、反射部３９より下の冷蔵室棚３８の冷蔵庫１００奥行き方向奥側に置かれた載置物を上から照射する。
【００５３】
また、実施の形態２では、透明棚２２を設置した場合と比べて、庫外灯２１からの光がより冷蔵室６内の冷蔵庫１００奥行き方向奥側を照射することができる。このため、庫外灯２１が、正面視して冷蔵室６内の冷蔵庫１００奥行き方向奥側を、光量を増加させることなくより明るくすることができる。このように冷蔵室６内を明るくすることで、庫外灯２１が、冷蔵室棚３８の手前側に置かれた載置物だけでなく冷蔵室棚３８の奥側の載置物も照らすことができ、ユーザが冷蔵室棚３８の奥の載置物を視認しやすい効果が得られる。
【００５４】
実施の形態３．
図７は、実施の形態３に係る冷蔵室６の正面図である。
本実施の形態では、冷蔵庫３００が、実施の形態１の製氷室７及び切替室８の代わりに、製氷室４０を有し、２枚の冷蔵室扉１２ａ及び１２ｂの代わりに１枚の冷蔵室扉１２を備える。このような構造において、冷蔵庫３００に庫外灯２１が設けられる場合について説明する。本実施の形態では、実施の形態１との相違点を中心に説明する。なお、図７では冷蔵室扉１２は冷蔵室６の正面開口の向かって右側に設けられているが、これに限られず、冷蔵室６の正面開口の向かって左側に設けてもよい。実施の形態３に係る冷蔵庫３００の、図７の冷蔵庫３００のＢ−Ｂ´線における横断面を矢印の向きから見た模式図は図２と同様である。ただし、図２の切替室８、冷凍容器２０及び切替室扉１４の代わりに製氷室４０、冷凍容器４１及び製氷室扉４２が設けられている。
【００５５】
本実施形態に係る冷蔵庫は、図８に示すように、冷蔵室６の前面開口の右側に設けられたヒンジ部（図示せず）を介して横方向に回動し、冷蔵室６の前面開口を開閉する回動式の冷蔵室扉１２と、製氷室４０に配置される冷凍容器４１の前面に設けられ、製氷室４０の前面開口を開閉し、冷凍容器４１を引き出し冷凍容器４１の上面を開閉させる引き出し式の製氷室扉４２と、製氷室扉４２の上部に設けられた庫外灯取り付け空間２８に設置され、冷蔵室６の内部を照明する照明装置である庫外灯２１と、を備える。
【００５６】
庫外灯取り付け空間２８は、製氷室扉４２が閉じられた状態で、正面視して庫外灯２１が冷蔵庫の左右方向のほぼ中央部に設けられるように製氷室扉４２内の左右のほぼ中央部に設けられる。
【００５７】
給電部取り付け空間３３は、製氷室扉４２が閉じられたとき正面視して庫外灯取り付け空間２８と少なくとも一部が重なるように仕切壁１１に設けられる。
【００５８】
庫外灯取り付け空間２８内に庫外灯２１及び非接触受電部２５を設け、給電部取り付け空間３３内に非接触給電部３１を設け、製氷室扉４２を閉じたとき、正面視して非接触給電部３１と非接触受電部２５の少なくとも一部が重なるように、非接触給電部３１と非接触受電部２５を給電部取り付け空間３３と庫外灯取り付け空間２８内にそれぞれ設ける。
【００５９】
なお、図９に示すように、非接触給電部３１と製氷室扉４２用の扉開閉センサ４３とを給電部取り付け空間３３に設置することで、非接触給電部３１と制御基板１８とを接続する配線３４と、製氷室扉４２用の扉開閉センサ４３と制御基板１８とを接続する配線４４とを束ねて配線することができ、外箱と内箱の間に配線を引き回す作業を簡略化することができる。
【００６０】
＜動作＞
以上のように構成された本実施の形態３の冷蔵庫３００について、以下、動作を説明する。
冷蔵庫３００には、冷蔵室扉１２の開閉状態を検出する冷蔵室扉１２用の扉開閉センサ（図示せず）が設けられている。
【００６１】
冷蔵室扉１２が閉じており製氷室扉４２が閉じている場合は、冷蔵室扉１２用の扉開閉センサから制御基板１８へ冷蔵室扉１２が閉じていることを示す信号が送信される。また、製氷室扉４２用の扉開閉センサ４３から制御基板１８へ製氷室扉４２が閉じていることを示す信号が送信される。このとき制御基板１８は非接触給電部３１に電力を供給せず、非接触給電部３１は非接触受電部２５に給電しないため、庫外灯２１は消灯している。
【００６２】
冷蔵室扉１２が開いており製氷室扉４２が閉じている場合は、冷蔵室扉１２用の扉開閉センサから制御基板１８へ冷蔵室扉１２が開いていることを示す信号が送信される。また、製氷室扉４２用の扉開閉センサ４３から制御基板１８へ製氷室扉４２が閉じていることを示す信号が送信される。このとき制御基板１８は非接触給電部３１に電力を供給し、非接触給電部３１は非接触受電部２５に電力を供給し、庫外灯２１は点灯する。
【００６３】
製氷室扉４２が開いたときは、製氷室扉４２が閉じている場合と比べて非接触給電部３１と非接触受電部２５との距離が増大するため、非接触給電部３１から非接触受電部２５へ供給される電力が低下し、庫外灯２１は消灯する。
【００６４】
以上のプロセスにより、冷蔵室扉１２が開いており製氷室扉４２が閉じている場合に庫外灯２１が点灯し、ＬＥＤ素子から白色光が発せられる。ＬＥＤ素子から発せられた白色光は、スリットを透過し、スリットを通過した庫外灯２１からの光は、真上よりも冷蔵庫３００奥行き方向奥側に傾いた方向に指向し、冷蔵室６内を照射する。
【００６５】
本実施の形態３に示された冷蔵庫３００では、実施の形態１と同様、冷蔵室６の天井に天井灯２３を設けるのみの構造と比べて、冷蔵室６内をより明るくし、載置物の視認性を向上させることができる。また、本実施の形態の照明装置は非接触給電部３１と非接触受電部２５との無線給電により配線作業の簡略化が可能であり、冷蔵庫３００の箱体２に対してスライドして開閉する引き出し式扉である製氷室扉４２に設置が可能である。
【００６６】
実施の形態４．
本実施の形態では、実施の形態３で示した冷蔵室６に設けられる複数の透明棚２２に代えて、複数の冷蔵室棚３８が着脱自在に設けられる冷蔵庫４００について説明する。本実施の形態では、実施の形態３との相違点を中心に説明する。
【００６７】
冷蔵室６内には、実施の形態１と同様に引出ケース３５が設けられている。また、本実施の形態では、実施の形態１で示した複数の透明棚２２に代えて、複数の冷蔵室棚３８Ａ、３８Ｂ、３８Ｃ及び３８Ｄ（以降、まとめて記載するときは冷蔵室棚３８と呼ぶ）が冷蔵室６内に着脱自在に設けられている。
【００６８】
図６に示すように、冷蔵室棚３８は、冷蔵室棚３８の冷蔵庫１奥行き方向手前側に、冷蔵室棚３８の幅方向に亘って設けられ、庫外灯２１から照射される光の少なくとも一部を冷蔵室６の冷蔵庫４００奥行き方向奥側に反射させる反射部３９を有する。該反射部３９は庫内灯２１からの光を反射させ、反射部３９より下に設置された冷蔵室６棚の冷蔵庫奥行き方向奥側を照射させる。
【００６９】
実施の形態４では、冷蔵室棚３８の冷蔵庫奥行き方向手前側に、冷蔵室棚３８の幅方向に亘って設けられ、庫外灯２１から照射される光の少なくとも一部を冷蔵室６の冷蔵庫奥行き方向奥側に反射させる反射部３９を設けた。このため、製氷室扉４２が閉じている状態でユーザが冷蔵室扉１２を開くと、製氷室扉４２内の庫外灯取り付け空間２８に設置された庫外灯２１が発光し、遮蔽性のカバー部材２７のスリットを通過した庫外灯２１からの光が冷蔵室を照らすとともに、光の一部が反射部３９により反射され、反射部３９より下の冷蔵室６棚の冷蔵庫奥行き方向奥側を上から照射する。したがって、実施の形態４の庫外灯２１は冷蔵室棚３８に載置された載置物を上と下から照射することができ、庫外灯２１の光量を調節することで天井灯２３を省略することが可能である。
【００７０】
また、実施の形態４では、透明棚２２を設置した場合と比べて、庫外灯２１からの光がより冷蔵室６内の冷蔵庫４００奥行き方向奥側を照射することができる。すなわち、透明棚２２を設置した場合と比べて、庫外灯２１が、正面視して冷蔵室６内の冷蔵庫４００奥行き方向奥側を、光量を増加させることなくより明るくすることができる。このように冷蔵室６内を庫外灯２１で照明することで、庫外灯２１が、冷蔵室６の手前側に置かれた載置物だけでなく冷蔵室６の奥側の載置物も照らすことができ、ユーザが冷蔵室６の奥側に置かれた載置物を視認しやすい効果が得られる。
【００７１】
なお、本発明は、上記各実施形態に限定されるものではなく、その要旨を逸脱しない範囲において、適宜変形が可能である。例えば、上記各実施形態では、図４に示されるように、庫外灯取り付け構造の壁部４６及び壁部４７と、切替室扉１４の外壁４５とで囲まれた内側に断熱材３０が充填されるが、本発明の実施の形態はこれに限られない。庫外灯取り付け構造の壁部４６と、切替室扉１４のとの間に断熱材を設けず、壁部４６及び切替室扉１４と同じ材料（鋼板又はプラスチック）で形成してもよい。この場合、断熱材を設ける場合と比べて庫外灯２１取り付け構造の側面を薄膜化することができる。
【００７２】
また、本発明は、上記各実施形態に限定されるものではなく、その要旨を逸脱しない範囲において、適宜変形が可能である。例えば、実施の形態１及び２では、庫外灯２１は切替室扉１４にのみ設けられるが、本発明の実施の形態はこれに限られない。
例えば、実施の形態１と同様に、切替室扉１４に第１の庫外灯取り付け空間２８を設け、該第１の庫外灯取り付け空間２８内に第１の庫外灯２１、配線２４及び第１の非接触受電部２５を設ける。同様に、製氷室扉１３に第２の庫外灯取り付け空間２８´を設け、該第２の庫外灯取り付け空間２８´内に第２の庫外灯２１´、配線２４´及び第２の非接触受電部２５´を設ける。また、仕切壁内に第１の非接触受電部２５用の非接触給電部３１を設け、第２の非接触受電部２５´用の非接触受電部３１´を設ける。第２の庫外灯取り付け空間２８´の遮蔽性のカバー部材２７´の切り起こしは第１の庫外灯取り付け空間２８の遮蔽性のカバー部材２７と同様の形状にする。このような構造とすることにより、冷蔵室扉１２ａが開放され、製氷室扉１３が閉鎖されているとき、実施の形態１及び２と同様に、下段の透明棚２２に載置された載置物を、第２の庫外灯２１´の光によって照らすことができる。よって、冷蔵庫の冷蔵室６の天井に天井灯２３を設けるのみの構造と比べて、冷蔵庫の冷蔵室６内をより明るくし、載置物の視認性を向上させることができる。
なお、庫外灯２１´を製氷室扉１３にのみ設け、庫外灯２１を切替室扉１４に設けない構造としてもよい。
【００７３】
また、本発明は、上記各実施形態に限定されるものではなく、その要旨を逸脱しない範囲において、適宜変形が可能である。例えば、実施の形態１及び２では、庫外灯２１は切替室扉１４に設けられるが、本発明の実施の形態はこれに限られない。
例えば、切替室扉１４の代わりに、図１０に示すように、冷蔵室扉１２ｂの下面の一部を冷蔵室扉１２ｂの内側へ凹むように陥入させ、形成された凹部である庫外灯取り付け構造内に庫外灯２１、リード線２４及び非接触受電部２５を固定する。庫外灯２１及び非接触受電部２５の下を覆うように、複数の切り起こし２６´´によりスリットが形成された遮蔽性のカバー部材２７´´を冷蔵室扉１２ｂに設ける。遮蔽性のカバー部材２７´´は冷蔵室扉１２ｂの下面の一部を構成し、スリットが真下から見て庫外灯２１に重なるように設けられる。実装基板は、冷蔵室扉１２ｂを閉鎖したときに実装基板の長手方向と冷蔵室６の幅方向とが一致する向きで、実装基板に対してＬＥＤ素子が下になるように庫外灯取り付け構造内に設置される。凹状の庫外灯取り付け構造と遮蔽性のカバー部材２７´´により、庫外灯取り付け空間２８´´が形成される。遮蔽性のカバー部材２７´´の上面は、庫外灯取り付け空間２８´´の底部に相当する。
複数の切り起こし２６´´は遮蔽性のカバー部材２７´に対して切替室８側に傾いており、スリットを通過した庫外灯２１からの光２９´が、庫外灯２１の真下よりも切替室８の奥行き方向奥側を指向するように構成される。
【００７４】
また、仕切壁に設けられる給電部取り付け空間３３´は、冷蔵室扉１２ｂが閉じられた状態で冷蔵庫１を正面視して庫外灯取り付け空間２８´´と少なくとも一部が重なる位置に設けられる。また、冷蔵室扉１２ｂが閉じられた状態で冷蔵庫１を正面視して非接触給電部３１と非接触受電部２５の少なくとも一部が重なるように、非接触給電部３１と非接触受電部２５を給電部取り付け空間３３´と庫外灯取り付け空間２８´´にそれぞれ設ける。
【００７５】
冷蔵室扉１２ｂが閉じており切替室扉１４が閉じている場合は、冷蔵室扉１２ｂ用の扉開閉センサ５１から制御基板１８へ冷蔵室扉１２ｂが閉じていることを示す信号が送信される。また、切替室扉１４用の扉開閉センサ３６から制御基板１８へ切替室扉１４が閉じていることを示す信号が送信される。このとき制御基板１８は非接触給電部３１に電力を供給せず、非接触給電部３１は非接触受電部２５に給電しないため、庫外灯２１は消灯している。
【００７６】
冷蔵室扉１２ｂが閉じており切替室扉１４が開いている場合は、冷蔵室扉１２ｂ用の扉開閉センサ５１から制御基板１８へ冷蔵室扉１２ｂが閉じていることを示す信号が送信される。また、切替室扉１４用の扉開閉センサ３６から制御基板１８へ切替室扉１４が開いていることを示す信号が送信される。このとき制御基板１８は非接触給電部３１に電力を供給し、非接触給電部３１は非接触受電部２５に電力を供給し、庫外灯２１は点灯する。
【００７７】
冷蔵室扉１２ｂが開くと、冷蔵室扉１２ｂが閉じている場合と比べて非接触給電部３１と非接触受電部２５との距離が増大するため、非接触給電部３１から非接触受電部２５へ供給される電力が低下し、庫外灯２１は消灯する。
【００７８】
このような構造とすることにより、冷蔵室扉１２ｂが閉じており、切替室扉１４を開いたときに、切替室８に載置された載置物を、冷蔵室扉１２ｂ内に設けられた庫外灯２１の光によって照らすことができる。よって、冷蔵庫１の切替室８内をより明るくし、載置物の視認性を向上させることができる。また、このような構造とすることで、照明装置を、冷蔵庫本体に備えられた回転式の扉に設置することができる。
【００７９】
また、本発明は、上記各実施形態に限定されるものではなく、その要旨を逸脱しない範囲において、適宜変形が可能である。
例えば、実施の形態１及び２では、冷蔵庫１の箱体２に形成される貯蔵空間が複数の断熱性の仕切壁により複数の貯蔵室、すなわち、冷蔵室６、製氷室７、切替室８、冷凍室９および野菜室１０に分離されているとしたが、これに限られない。製氷室７にさらに仕切壁を設け、該仕切壁の上を製氷室、下を第１の冷凍室とし、切替室８を野菜室とする。冷凍室９および野菜室１０に替えて第２の冷凍室を設ける。このような場合でも、野菜室扉に庫外灯取り付け空間２８を設け、冷蔵室６と野菜室とを区画する断熱性の仕切壁１１内に給電部取り付け空間３３を設ける。さらに、野菜室扉を閉じたとき、正面視して非接触給電部３１と非接触受電部２５の少なくとも一部が重なるように、非接触給電部３１と非接触受電部２５を給電部取り付け空間３３と庫外灯取り付け空間２８内にそれぞれ設ける。このような変形を加えても、実施の形態１及び２と同様の効果が得られる。
【００８０】
また、本発明は、上記各実施形態に限定されるものではなく、その要旨を逸脱しない範囲において、適宜変形が可能である。
例えば、実施の形態３及び４において、製氷室４０を野菜室とし、冷凍室９に替えて製氷室及び切替室の２室を設け、野菜室１０に替えて冷凍室を設けてもよい。このような場合でも、野菜室扉に庫外灯取り付け空間２８を設け、冷蔵室６と野菜室とを区画する断熱性の仕切壁１１内に給電部取り付け空間３３を設ける。さらに、野菜室扉を閉じたとき、正面視して非接触給電部３１と非接触受電部２５の少なくとも一部が重なるように、非接触給電部３１と非接触受電部２５を給電部取り付け空間３３と庫外灯取り付け空間２８内にそれぞれ設ける。このような変形を加えても、実施の形態３及び４と同様の効果が得られる。
【００８１】
１…冷蔵庫、２…箱体、３…外箱、４…内箱、５…断熱材、６…冷蔵室、７…製氷室、８…切替室、９…冷凍室、１０…野菜室、１１…仕切壁、１２ａ…冷蔵室扉、１２ｂ…冷蔵室扉、１３…製氷室扉、１４…切替室扉、１５…冷凍室扉、１６…野菜室扉、１７…操作パネル、１８…制御基板、１９…製氷容器、２０…冷凍容器、２１…庫外灯、２２…透明棚、２３…天井灯、２４…配線、２５…非接触受電部、２６…切り起こし、２７…遮蔽性のカバー部材、２８…庫外灯取り付け空間、２８ｂ…段差部、２９…光、３０…断熱材、３１…非接触給電部、３２…側壁板、３３…給電部取り付け空間、３４…配線、３５…引出ケース、３６…扉開閉センサ、３８…冷蔵室棚、３９…反射部、４０…製氷室、４１…冷凍容器、４２…製氷室扉、４３…扉開閉センサ、４４…配線、４５…外壁、５０…外壁、５１…扉開閉センサ、５２…バッテリー、５３…庫外灯スイッチ
【図１】
2020194659.tif 000003
【図２】
2020194659.tif 000004
【図３】
2020194659.tif 000005
【図４】
2020194659.tif 000006
【図５】
2020194659.tif 000007
【図６】
2020194659.tif 000008
【図７】
2020194659.tif 000009
【図８】
2020194659.tif 000010
【図９】
2020194659.tif 000011
【図１０】
2020194659.tif 000012
【手続補正書】
【提出日】令和3年3月3日(2021.3.3)
【手続補正１】
【補正対象書類名】明細書
【補正対象項目名】０００７
【補正方法】変更
【補正の内容】
【０００７】
上述の目的を達成するために、この発明による冷蔵庫は、第１の貯蔵室と、第１の貯蔵室と仕切壁により区画され第１の貯蔵室の上に設けられた第２の貯蔵室と、第１の貯蔵室を開閉する第１の扉と、第２の貯蔵室を開閉する第２の扉と、を備え、該第１の扉の上面に設けられた凹部内に照明装置と受電部を備え、照明装置及び受電部の上に設けられたカバー部材と、を備える。さらに、この発明による冷蔵庫は、仕切壁が有する給電部取り付け空間内に、前記受電部に無線で電力を供給する給電部を備える。照明装置は真上よりも第２貯蔵室側に光を照射し、第１の貯蔵室が閉鎖され、第２の貯蔵室が開放されているとき、給電部が受電部に無線で電力を供給することで照明装置が点灯し、前記第２の貯蔵室内を照らすように構成されている。上記の構造により、照明装置を冷蔵庫本体に設けられた回転式の扉や引き出し式の扉に設けることができる。
【手続補正２】
【補正対象書類名】特許請求の範囲
【補正対象項目名】全文
【補正方法】変更
【補正の内容】
【特許請求の範囲】
【請求項１】
食品を冷蔵する第１の貯蔵室と、前記第１の貯蔵室と仕切壁により区画され前記第１の貯蔵室の上に設けられ食品を冷蔵する第２の貯蔵室とを有する冷蔵庫本体と、
前記冷蔵庫本体に設けられ、前記第１の貯蔵室を開放又は閉鎖する第１の扉と、
前記冷蔵庫本体に設けられ、前記第２の貯蔵室を開放又は閉鎖する第２の扉と、
前記冷蔵庫本体の背面側に位置する制御基板と、
前記冷蔵庫本体又は前記仕切壁の内側に設けられ、前記第１の貯蔵室の開放又は閉鎖を検知する扉開閉センサと、
前記第１の扉の上面に形成された凹部内に設けられる照明装置と、
前記凹部内に設けられ、配線により前記照明装置と接続する受電部と、
前記照明装置及び前記受電部の上に設けられるカバー部材と、
前記仕切壁が有する給電部取り付け空間に設けられ、前記受電部に無線で電力を供給する給電部と、を備え、
前記照明装置は真上よりも前記第２貯蔵室側に光を照射し、
前記第１の貯蔵室が前記第１の扉により閉鎖され、前記第２の貯蔵室が前記第２の扉により開放されているとき、前記制御基板が前記給電部に電力を供給し、前記給電部が前記受電部に無線で電力を供給することにより前記照明装置が点灯し、前記第２の貯蔵室内を照らすことを特徴とする冷蔵庫。
【請求項２】
食品を冷蔵する第１の貯蔵室と、前記第１の貯蔵室と仕切壁により区画され前記第１の貯蔵室の上に設けられ食品を冷蔵する第２の貯蔵室とを有する冷蔵庫本体と、
前記冷蔵庫本体に設けられ、前記第１の貯蔵室を開放又は閉鎖する第１の扉と、
前記冷蔵庫本体に設けられ、前記第２の貯蔵室を開放又は閉鎖する第２の扉と、
前記冷蔵庫本体の背面側に位置する制御基板と、
前記冷蔵庫本体又は前記仕切壁の内側に設けられ、前記第２の貯蔵室の開放又は閉鎖を検知する扉開閉センサと、
前記第２の扉の下面に形成された凹部内に設けられる照明装置と、
前記凹部内に設けられ、配線により前記照明装置と接続する受電部と、
前記照明装置及び前記受電部の下を覆うように前記第２の扉に設けられるカバー部材と、
前記仕切壁が有する給電部取り付け空間に設けられ、前記受電部に無線で電力を供給する給電部と、を備え、
前記照明装置は真下よりも前記第１貯蔵室側に光を照射し、
前記第１の貯蔵室が前記第１の扉により開放され、前記第２の貯蔵室が前記第２の扉により閉鎖されているとき、前記制御基板が前記給電部に電力を供給し、前記給電部が前記受電部に無線で電力を供給することにより前記照明装置が点灯し、前記第１の貯蔵室内を照らすことを特徴とする冷蔵庫。
【請求項３】
前記カバー部材は遮蔽性のカバー部材であり、
前記照明装置は前記遮蔽性のカバー部材に設けられたスリットにより真上よりも前記第２貯蔵室側に光を照射する、請求項１に記載の冷蔵庫。
【請求項４】
前記カバー部材は前記凹部の天井を形成する、請求項１又は３に記載の冷蔵庫。
【請求項５】
前記カバー部材は遮蔽性のカバー部材であり、
前記照明装置は前記遮蔽性のカバー部材に設けられたスリットにより真下よりも前記第１貯蔵室側に光を照射する、請求項２に記載の冷蔵庫。
【請求項６】
前記庫外灯と前記受電部に接続する充電部を備え、前記第１の貯蔵室が前記第１の扉により閉鎖され、前記第２の貯蔵室が前記第２の扉により閉鎖されているとき、前記充電部は前記給電部からの電力供給により蓄電し、前記第１の貯蔵室が第１の扉により開放された後、前記第２の貯蔵室が第２の扉により開放されるとき、蓄電された前記充電部からの給電により一定時間前記照明装置が点灯し続ける、請求項１、３及び４のいずれか一項に記載の冷蔵庫。
【請求項７】
前記凹部の側壁と前記第１の扉の外壁との間に断熱材を設ける、請求項１、３、４及び６のいずれか一項に記載の冷蔵庫。
【請求項８】
透光性を有し、前記第２の貯蔵室内に着脱可能に設けられ、前記第２の貯蔵室内を上下に仕切る一以上の棚を備え、
前記一以上の棚が、前記一以上の棚の手前側に幅方向に亘って設けられ、前記照明装置から照射される光の少なくとも一部を前記貯蔵室の奥側に反射させる反射板を備えたことを特徴とする、請求項１、３、４、６及び７のいずれか一項に記載の冷蔵庫。
【請求項９】
透光性を有し、前記第２の貯蔵室内に着脱可能に設けられ、前記第２の貯蔵室内を上下に仕切る一以上の棚を備えたことを特徴とする、請求項１、３、４、６及び７のいずれか一項に記載の冷蔵庫。
【請求項１０】
前記スリットは、前記複数の切り起こしにより形成される、請求項３又は５に記載の冷蔵庫。
【請求項１１】
前記扉開閉センサは前記給電部取り付け構造内に設けられる、請求項１〜１０のいずれか一項に記載の冷蔵庫。
【国際調査報告】
2020194659.tif 000013
2020194659.tif 000014
2020194659.tif 000015
2020194659.tif 000016